(57)【要約】      （修正有）【課題】構造の荷重と耐震性を強化して、荷重または振動を受けた際も鋼板とコンクリートが確実に結合される鋼管コンクリートの構造を提供する。【解決手段】ケース１０１及び斜面鋼板１１０から主に構成される。ケースは底板１０２、底板と連結されて第一方向に沿って底板両側に並行に設けられる第一側壁１０４及第二側壁１０６、及び第一側壁及び第二側壁に連結されて底板の一面と対向する頂板１０８を備える。斜面鋼板はケース内に設けられ第一方向に沿って間隔を置いて分布する。さらに複数の第一斜面鋼板群１１２の両端がそれぞれ底板及び第一側壁に連結され、複数の第二斜面鋼板群１１４は第一斜面鋼板群と対向するように設けられ、両端がそれぞれ底板及び第二側壁と連結され、複数の第三斜面鋼板群１１６の両端はそれぞれ頂板及び第一側壁と連結され、複数の第四斜面鋼板群は第三斜面鋼板群１１８と対向するように設置され、両端がそれぞれ頂板及び第二側壁と連結される。【選択図】図６
0003189826.tif 000002
【実用新案登録請求の範囲】
【請求項１】
ケースと、
前記ケース内に設けられ、第一方向に沿って間隔を置いて分布する斜面鋼板群とを含み、前記ケースはさらに
底板と、
前記底板と連結され、前記第一方向に沿って前記底板の両側に並行に設けられる第一側壁及び第二側壁と、
前記第一側壁及び第二側壁に連結されて前記底板の一面と対向する頂板と、
を含み、また、前記斜面鋼板群はさらに
両端がそれぞれ前記底板及び前記第一側壁に連結される複数の第一斜面鋼板と、
前記第一斜面鋼板と対向するように設けられ、両端がそれぞれ前記底板及び前記第二側壁に連結される複数の第二斜面鋼板と、
両端がそれぞれ前記頂板及び前記第一側壁に連結される複数の第三斜面鋼板と前記第三斜面鋼板と対向するように設けられ、両端がそれぞれ前記頂板及び前記第二側壁に連結される複数の第四斜面鋼板とを具備すること特徴とする鋼管コンクリートの構造。                  
【請求項２】
さらに、前記ケース内に設置される複数の間隔板を備え、これらの複数の間隔板の両側がそれぞれ前記第一側壁及び前記第二側壁に連結され、前記第一方向に沿って間隔を置いて設けられ、且つこれらの複数の間隔板は孔部及び複数の挿入孔を有し、これらの前記挿入孔は前記孔部の四方に形成され、主鉄筋をこれらの前記間隔板を貫通させることを特徴とする、請求項1に記載の鋼管コンクリートの構造。
【請求項３】
さらにこれらの前記間隔板に設けられ、前記孔部及び前記挿入孔の間に位置する複数の第一溶接スタッド及び、一定の間隔で均一に前記ケースの内面に設けられる複数の第二溶接スタッドを含むことを特徴とする、請求項2に記載の鋼管コンクリートの構造。
【考案の詳細な説明】
【技術分野】
【０００１】
本考案は、橋脚など大型の柱体構造に用いられる鋼管コンクリートの構造に関する。
【背景技術】
【０００２】
従来の鉄筋コンクリート設計構造では、鉄骨鉄筋コンクリートの設計以外に、充填型鋼管コンクリートの設計も採用される。前者が鉄骨を荷重及び抗張力のため部材として使用していることに比べて、後者の構造では、鋼管によりコンクリートに拘束力が提供される以外に、さらに鋼材の使用量を節減できる。
【考案の概要】
【考案が解決しようとする課題】
【０００３】
しかしながら、従来の充填型鋼管コンクリート設計は、鋼管部分の設計及び応用方法が単純であり、提供される強度に限度があり、実際の設計と施工上の要求があまり満たされない。特に長時間重量がかかると軸応力によりコートする鋼板が軸方向に沿って外側に突出しやすい。よって、構造の荷重と耐震性を強化して、荷重または振動を受けた際も鋼板とコンクリートが確実に結合されるようにするためには、全体構造の強度の向上は重要な課題である。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、鋼管コンクリートの構造を提供することを主目的とする。
【課題を解決するための手段】
【０００６】
上述した課題を解決し、目的を達成するために、本考案に係る鋼管コンクリートの構造は、
ケースと、前記ケース内に設けられ、第一方向に沿って間隔を置いて分布する斜面鋼板群とを含み、
前記ケースはさらに底板と、前記底板と連結され、前記第一方向に沿って前記底板の両側に並行に設けられる第一側壁及び第二側壁と、前記第一側壁及び第二側壁に連結されて前記底板の一面と対向する頂板とを含み、また、前記斜面鋼板群はさらに両端がそれぞれ前記底板及び前記第一側壁に連結される複数の第一斜面鋼板と、前記第一斜面鋼板と対向するように設けられ、両端がそれぞれ前記底板及び前記第二側壁に連結される複数の第二斜面鋼板と、両端がそれぞれ前記頂板及び前記第一側壁に連結される複数の第三斜面鋼板と前記第三斜面鋼板と対向するように設けられ、両端がそれぞれ前記頂板及び前記第二側壁に連結される複数の第四斜面鋼板を具備すること特徴とする。
【考案の効果】
【０００７】
本考案によれば、構造体の拘束力を向上させる効果が得られる。
【図面の簡単な説明】
【０００８】
【図１】本考案の第１実施形態による鋼管コンクリートの構造を説明する傾斜模式図である。
【図２】本考案の第１実施形態による鋼管コンクリートの構造を説明する傾斜模式図である。
【図３】本考案の第１実施形態による鋼管コンクリートの構造を説明する傾斜模式図である。
【図４】本考案の第１実施形態による鋼管コンクリートの構造を説明する傾斜模式図である。
【図５】本考案の第１実施形態による鋼管コンクリートの構造を説明する傾斜模式図である。
【図６】本考案の第１実施形態による鋼管コンクリートの構造を説明する断面模式図である。
【図７】本考案の他の実施形態による鋼管コンクリートの構造を説明する断面模式図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１０】
以下、本考案の鋼管コンクリートの構造を図１〜７に基づいて説明する。図１に示すように、鋼管コンクリートの構造１００はケース101を備える。前記ケース101は底板102、底板102と連結され、第一方向aに沿って両側に並行に設けられる第一側壁104及び第二側壁106を備える。また、ケース101内には複数の間隔板120も備え、両側がそれぞれ第一側壁104及び第二側壁106に連結され、第一方向aに沿って間隔を置いて設けられる。この好ましい実施例では、間隔板120は対にしてケース101の一端に設けられる。柱体は数個のケース101群で形成される場合があるため、柱体前後の両端にそれぞれ1組の間隔板120を設けることが好ましいが、柱体の長さに応じて各組の間隔板120の距離を調節してもよい。間隔板120は孔部122及び複数の挿入孔124を有し、孔部122は留保された孔にコンクリートを注入するためのものであり、挿入孔124は孔部122の四方に形成され、主鉄筋126を間隔板120に貫通させるものである(図４を参照)。このほか、間隔板120は複数の第一溶接スタッド130が、孔部122及び挿入孔124の間に設けられ、即ち、孔部122を中心とした場合、第一溶接スタッド130の分布半径は挿入孔124の分布半径を下まわる。実施例において、第一溶接スタッド130は平均的に間隔板120に分布させ、間隔板120の断面形状に合わせて分布させる。例えば、間隔板120が正方形であれば、第一溶接スタッド130も大体正方形に平均して分布する。間隔板120上の第一溶接スタッド130により、間隔板120とコンクリート間の結合力が強化される。
【００１１】
図２及び図３に示すように、ケース101内に斜面鋼板群110も第一方向aに沿って間隔を置いて分布させる。斜面鋼板群110は複数の第一斜面鋼板112、第二斜面鋼板114、第三斜面鋼板116、第四斜面鋼板118により構成される。うち、第一斜面鋼板112の両端はそれぞれ底板102及び第一側壁104に連結される。第二斜面鋼板114は第一斜面鋼板112と対向するように設けられ、第二斜面鋼板114の両端はそれぞれ底板102及び第二側壁106に連結される。第三斜面鋼板116の両端はそれぞれ頂板108(図４参照)及び第一側壁104に連結される。第四斜面鋼板118は第三斜面鋼板116と対向するように設けられ、第四斜面鋼板118の両端はそれぞれ頂板108及び第二側壁106に連結される。ケース101内の四角に設けられた斜面鋼板群110により、鋼管コンクリート構造100に対する拘束効果が向上される。
【００１２】
さらに、鋼管コンクリート構造100には複数の第二溶接スタッド132が含まれ、一定の間隔で均一にケース101の内面に設けられる。斜面鋼板群110を溶接する時に第二溶接スタッド132の設置が妨げられないように、先に斜面鋼板群110を設ける位置に一部の第二溶接スタッド132(図２を参照)を設け、斜面鋼板群110を全て設置した後で、他の第二溶接スタッド132(図３を参照)を設ける。よって、前記第一溶接スタッド130以外に、第二溶接スタッド132によりさらにケース101内面とコンクリート間の結合力を向上させる。
【００１３】
また、図３に示すように、間隔板120は第一方向aに沿って斜面鋼板群110に連結され、図２に示すように、即ち、斜面鋼板群110の両端はケース101内面と連結される以外に、斜面鋼板群110の第一方向aに沿う側の面を間隔板120に溶接することで、構造強度を向上させることも可能である。このほか、斜面鋼板群110は前記の第一方向aに沿って間隔を置いて分布させる以外に、対にした間隔板120の間にも斜面鋼板群110を設けることができ、斜面鋼板群110は第一方向aに沿う側の面を間隔板120に溶接する。
【００１４】
なお、図４に示すように、間隔板120(図３参照)が有する各挿入孔124により、それぞれ主鉄筋126を貫通させてから、頂板108を吊る。頂板108は第一側壁104及に第二側壁106に連結されて底板102の一面と対向させ、第二溶接スタッド132は予め頂板108内面に設置しておくことが好ましい。こうすることで頂板108を吊る時第二溶接スタッド132の設置が完成する。図5に示すように、鋼管コンクリート構造100を組み立てた後、最後にコンクリートの注入作業を行って、柱体のプレキャストを完了させる。
【００１５】
第一斜面鋼板112と底板102の垂直距離は第一斜面鋼板112と第一側壁104の垂直距離（図６を参照）と等しい。同様に、第二斜面鋼板114、第三斜面鋼板116、第四斜面鋼板118がケース101内両側表面と連結される距離關係も第一斜面鋼板112と等しい。また、断面を正方形とする鋼管コンクリート構造100について言えば、斜面鋼板群110が形成する4つの斜辺とケース101内面は正八角形を形成することが好ましい。底板102両側と第一斜面鋼板112、第二斜面鋼板114の接合部分に挟まれる距離sは底板102の広さwの約1/3を占める。つまり、第一斜面鋼板112を例にとると、第一斜面鋼板112とそれが連結される底板102及び第一側壁104の間の距離dは底板102の広さwの1/2以下でなければならず、こうして対称的に設置すると、良好な拘束効果が得られる。
【００１６】
断面を正方形とする鋼管コンクリート構造100は、複数の補佐鋼板119を有し、複数の補佐鋼板119の両端はそれぞれ頂板108及び底板102（図７を参照）に連結される。同時に、補佐鋼板119の構造と設置方法は斜面鋼板群110のように、第一方向aに沿って間隔を置いて設けられる。補佐鋼板119により、異なる断面の鋼管コンクリート構造100の構造強度がさらに向上され、本考案の鋼管コンクリート構造により、間隔板及びケース内面に設けられた溶接スタッドにより間隔板とコンクリート間の結合力が強化される以外に、ケース内の斜面鋼板群により鋼管コンクリート構造に対する拘束効果が強化され、全体の構造強度が向上される。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１００  鋼管コンクリート構造
１０１  ケース
１０２  底板
１０４  第一側壁
１０６  第二側壁
１０８  頂板
１１０  斜面鋼板群
１１２  第一斜面鋼板
１１４  第二斜面鋼板
１１６  第三斜面鋼板
１１８  第四斜面鋼板
１１９  補佐鋼板
１２０  間隔板
１２２  孔部
１２４  挿入孔
１２６  主鉄筋
１３０  第一溶接スタッド
１３２  第二溶接スタッド
ａ      第一方向
ｓ      （距離）
ｄ      距離
ｗ      広さ
【図１】
0003189826.tif 000003
【図２】
0003189826.tif 000004
【図３】
0003189826.tif 000005
【図４】
0003189826.tif 000006
【図５】
0003189826.tif 000007
【図６】
0003189826.tif 000008
【図７】
0003189826.tif 000009